【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
無線通信システムにおいて動作する端末（ＵＥ）により実行される方法であって、
（ｉ）下りリンクデータを受信するための下りリンクスケジューリング情報、及び（ｉｉ）上りリンク制御情報（ＵＣＩ）を送信するためのＰＵＣＣＨリソース指示情報を含む下りリンク制御情報（ＤＣＩ）を受信するステップであって、前記ＵＣＩは、前記下りリンクデータに対するＨＡＲＱ−ＡＣＫ情報を含む、ステップと、
前記下りリンクスケジューリング情報に基づいて、前記下りリンクデータを受信するステップと、
前記ＵＣＩのサイズに基づいて、前記ＵＥに対して構成される複数のＰＵＣＣＨリソースセットの中から１つのＰＵＣＣＨリソースセットを決定するステップと、
前記１つのＰＵＣＣＨリソースセットのうちのＰＵＣＣＨリソースの中から、及び前記ＤＣＩ内の前記ＰＵＣＣＨリソース指示情報に基づいて、前記ＵＣＩを送信するための１つのＰＵＣＣＨリソースを決定するステップと、
前記１つのＰＵＣＣＨリソース上で、前記受信された下りリンクデータに対する前記ＨＡＲＱ−ＡＣＫ情報を含む前記ＵＣＩを送信するステップと、
を含み、
前記１つのＰＵＣＣＨリソースセットのうちの前記ＰＵＣＣＨリソースの中から前記１つのＰＵＣＣＨリソースを決定するステップは、
Ｘ(≧１)ビット以下である前記ＵＣＩのサイズに基づいて、第１方式又は第２方式の１つに従い前記１つのＰＵＣＣＨリソースを決定するステップと、
Ｘビットより大きい前記ＵＣＩのサイズに基づいて、前記第２方式のみに従い前記１つのＰＵＣＣＨリソースを決定するステップと、を含み、
前記第１方式に従い、（ｉ）前記ＤＣＩ内に含まれた前記ＰＵＣＣＨリソース指示情報、及び（ｉｉ）前記ＤＣＩの受信において使用された下りリンクリソースのインデックスの両方に基づいて、前記１つのＰＵＣＣＨリソースセットのうちの前記１つのＰＵＣＣＨリソースが決定され、
前記第２方式に従い、前記ＰＵＣＣＨリソース指示情報に基づいて、しかし前記ＤＣＩの受信において使用された前記下りリンクリソースのインデックスに基づかずに、前記１つのＰＵＣＣＨリソースセットのうちの前記１つのＰＵＣＣＨリソースが決定される、方法。
【請求項２】
Ｘは２である、請求項１に記載の方法。
【請求項３】
Ｘ(≧１)ビット以下である前記ＵＣＩのサイズに基づいて、前記１つのＰＵＣＣＨリソースセットのうちの前記ＰＵＣＣＨリソースの数に基づいて、前記第１方式又は前記第２方式が使用される、請求項１に記載の方法。
【請求項４】
Ｘ(≧１)ビット以下である前記ＵＣＩのサイズに基づいて、及び基準値より多い前記１つのＰＵＣＣＨリソースセットのうちの前記ＰＵＣＣＨリソースの数に基づいて、前記１つのＰＵＣＣＨリソースが前記第１方式に従い決定され、
前記基準値は、前記ＰＵＣＣＨリソース指示情報により示すことができる値の数と同一である、請求項３に記載の方法。
【請求項５】
Ｘ(≧１)ビット以下である前記ＵＣＩのサイズに基づいて、及び基準値以下である前記１つのＰＵＣＣＨリソースセットのうちの前記ＰＵＣＣＨリソースの数に基づいて、前記１つのＰＵＣＣＨリソースが前記第２方式に従い決定され、
前記基準値は、前記ＰＵＣＣＨリソース指示情報により示すことができる値の数と同一である、請求項３に記載の方法。
【請求項６】
無線通信システムにおいて動作する端末（ＵＥ）を制御するよう構成された通信装置であって、
少なくとも１つのプロセッサと、
前記少なくとも１つのプロセッサに動作可能に接続可能な少なくとも１つのコンピュータメモリと、を含み、
前記少なくとも１つのコンピュータメモリは、前記少なくとも１つのプロセッサにより実行されるとき、
（ｉ）下りリンクデータを受信するための下りリンクスケジューリング情報、及び（ｉｉ）上りリンク制御情報（ＵＣＩ）を送信するためのＰＵＣＣＨリソース指示情報を含む下りリンク制御情報（ＤＣＩ）を受信し、前記ＵＣＩは、前記下りリンクデータに対するＨＡＲＱ−ＡＣＫ情報を含み、
前記下りリンクスケジューリング情報に基づいて、前記下りリンクデータを受信し、
前記ＵＣＩのサイズに基づいて、前記ＵＥに対して構成される複数のＰＵＣＣＨリソースセットの中から１つのＰＵＣＣＨリソースセットを決定し、
前記１つのＰＵＣＣＨリソースセットのうちのＰＵＣＣＨリソースの中から、及び前記ＤＣＩ内の前記ＰＵＣＣＨリソース指示情報に基づいて、前記ＵＣＩを送信するための１つのＰＵＣＣＨリソースを決定し、
前記１つのＰＵＣＣＨリソース上で、前記受信された下りリンクデータに対する前記ＨＡＲＱ−ＡＣＫ情報を含む前記ＵＣＩを送信することを含む動作を実行する命令を格納し、
前記１つのＰＵＣＣＨリソースセットのうちの前記ＰＵＣＣＨリソースの中から前記１つのＰＵＣＣＨリソースを決定することは、
Ｘ(≧１)ビット以下である前記ＵＣＩのサイズに基づいて、第１方式又は第２方式の１つに従い前記１つのＰＵＣＣＨリソースを決定すること、
Ｘビットより大きい前記ＵＣＩのサイズに基づいて、前記第２方式のみに従い前記１つのＰＵＣＣＨリソースを決定すること、を含み、
前記第１方式に従い、（ｉ）前記ＤＣＩ内に含まれた前記ＰＵＣＣＨリソース指示情報、及び（ｉｉ）前記ＤＣＩの受信において使用された下りリンクリソースのインデックスの両方に基づいて、前記１つのＰＵＣＣＨリソースセットのうちの前記１つのＰＵＣＣＨリソースが決定され、
前記第２方式に従い、前記ＰＵＣＣＨリソース指示情報に基づいて、しかし前記ＤＣＩの受信において使用された前記下りリンクリソースのインデックスに基づかずに、前記１つのＰＵＣＣＨリソースセットのうちの前記１つのＰＵＣＣＨリソースが決定される、通信装置。
【請求項７】
前記Ｘは２である、請求項６に記載の通信装置。
【請求項８】
Ｘ(≧１)ビット以下である前記ＵＣＩのサイズに基づいて、前記１つのＰＵＣＣＨリソースセットのうちの前記ＰＵＣＣＨリソースの数に基づいて、前記第１方式又は前記第２方式が使用される、請求項６に記載の通信装置。
【請求項９】
Ｘ(≧１)ビット以下である前記ＵＣＩのサイズに基づいて、及び基準値より多い前記１つのＰＵＣＣＨリソースセットのうちの前記ＰＵＣＣＨリソースの数に基づいて、前記１つのＰＵＣＣＨリソースが前記第１方式に従い決定され、
前記基準値は、前記ＰＵＣＣＨリソース指示情報により示すことができる値の数と同一である、請求項８に記載の通信装置。
【請求項１０】
Ｘ(≧１)ビット以下である前記ＵＣＩのサイズに基づいて、及び基準値以下である前記１つのＰＵＣＣＨリソースセットのうちの前記ＰＵＣＣＨリソースの数に基づいて、前記１つのＰＵＣＣＨリソースが前記第２方式に従い決定され、
前記基準値は、前記ＰＵＣＣＨリソース指示情報により示すことができる値の数と同一である、請求項８に記載の通信装置。
【請求項１１】
無線通信システムにおいて動作する基地局により実行される方法であって、
（ｉ）下りリンクデータを送信するための下りリンクスケジューリング情報、及び（ｉｉ）上りリンク制御情報（ＵＣＩ）を受信するためのＰＵＣＣＨリソース指示情報を含む下りリンク制御情報（ＤＣＩ）を送信するステップと、
前記下りリンクスケジューリング情報に基づいて、前記下りリンクデータを送信するステップと、
１つのＰＵＣＣＨリソース上で、前記送信された下りリンクデータに対するＨＡＲＱ−ＡＣＫ情報を含む前記ＵＣＩを受信するステップと、
を含み、
Ｘ(≧１)ビット以下である前記ＵＣＩのサイズに基づいて、第１方式又は第２方式の１つに従い前記１つのＰＵＣＣＨリソースが決定され、
Ｘビットより大きい前記ＵＣＩのサイズに基づいて、前記第２方式のみに従い前記１つのＰＵＣＣＨリソースが決定され、
前記第１方式に従い、（ｉ）前記ＤＣＩ内に含まれた前記ＰＵＣＣＨリソース指示情報、及び（ｉｉ）前記ＤＣＩの受信において使用された下りリンクリソースのインデックスの両方に基づいて、１つのＰＵＣＣＨリソースセットのうちの前記１つのＰＵＣＣＨリソースが決定され、
前記第２方式に従い、前記ＰＵＣＣＨリソース指示情報に基づいて、しかし前記ＤＣＩの受信において使用された前記下りリンクリソースのインデックスに基づかずに、前記１つのＰＵＣＣＨリソースセットのうちの前記１つのＰＵＣＣＨリソースが決定される、方法。
【請求項１２】
前記Ｘは２である、請求項１１に記載の方法。
【請求項１３】
Ｘ(≧１)ビット以下である前記ＵＣＩのサイズに基づいて、前記１つのＰＵＣＣＨリソースセットのうちのＰＵＣＣＨリソースの数に基づいて、前記第１方式又は前記第２方式が使用される、請求項１１に記載の方法。
【請求項１４】
Ｘ(≧１)ビット以下である前記ＵＣＩのサイズに基づいて、及び基準値より多い前記１つのＰＵＣＣＨリソースセットのうちの前記ＰＵＣＣＨリソースの数に基づいて、前記１つのＰＵＣＣＨリソースが前記第１方式に従い決定され、
前記基準値は、前記ＰＵＣＣＨリソース指示情報により示すことができる値の数と同一である、請求項１３に記載の方法。
【請求項１５】
Ｘ(≧１)ビット以下である前記ＵＣＩのサイズに基づいて、及び基準値以下である前記１つのＰＵＣＣＨリソースセットのうちの前記ＰＵＣＣＨリソースの数に基づいて、前記１つのＰＵＣＣＨリソースが前記第２方式に従い決定され、
前記基準値は、前記ＰＵＣＣＨリソース指示情報により示すことができる値の数と同一である、請求項１３に記載の方法。
【請求項１６】
無線通信システムにおいて動作する基地局を制御するよう構成された通信装置であって、
少なくとも１つのプロセッサと、
前記少なくとも１つのプロセッサに動作可能に接続可能な少なくとも１つのコンピュータメモリと、を含み、
前記少なくとも１つのコンピュータメモリは、前記少なくとも１つのプロセッサにより実行されるとき、
（ｉ）下りリンクデータを送信するための下りリンクスケジューリング情報、及び（ｉｉ）上りリンク制御情報（ＵＣＩ）を受信するためのＰＵＣＣＨリソース指示情報を含む下りリンク制御情報（ＤＣＩ）を送信し、
前記下りリンクスケジューリング情報に基づいて、前記下りリンクデータを送信し、
１つのＰＵＣＣＨリソース上で、前記送信された下りリンクデータに対するＨＡＲＱ−ＡＣＫ情報を含む前記ＵＣＩを受信することを含む動作を実行する命令を格納し、
Ｘ(≧１)ビット以下である前記ＵＣＩのサイズに基づいて、第１方式又は第２方式の１つに従い前記１つのＰＵＣＣＨリソースが決定され、
Ｘビットより大きい前記ＵＣＩのサイズに基づいて、前記第２方式のみに従い前記１つのＰＵＣＣＨリソースが決定され、
前記第１方式に従い、（ｉ）前記ＤＣＩ内に含まれた前記ＰＵＣＣＨリソース指示情報、及び（ｉｉ）前記ＤＣＩの受信において使用された下りリンクリソースのインデックスの両方に基づいて、１つのＰＵＣＣＨリソースセットのうちの前記１つのＰＵＣＣＨリソースが決定され、
前記第２方式に従い、前記ＰＵＣＣＨリソース指示情報に基づいて、しかし前記ＤＣＩの受信において使用された前記下りリンクリソースのインデックスに基づかずに、前記１つのＰＵＣＣＨリソースセットのうちの前記１つのＰＵＣＣＨリソースが決定される、通信装置。
【請求項１７】
前記Ｘは２である、請求項１６に記載の通信装置。
【請求項１８】
Ｘ(≧１)ビット以下である前記ＵＣＩのサイズに基づいて、前記１つのＰＵＣＣＨリソースセットのうちのＰＵＣＣＨリソースの数に基づいて、前記第１方式又は前記第２方式が使用される、請求項１６に記載の通信装置。
【請求項１９】
Ｘ(≧１)ビット以下である前記ＵＣＩのサイズに基づいて、及び基準値より多い前記１つのＰＵＣＣＨリソースセットのうちの前記ＰＵＣＣＨリソースの数に基づいて、前記１つのＰＵＣＣＨリソースが前記第１方式に従い決定され、
前記基準値は、前記ＰＵＣＣＨリソース指示情報により示すことができる値の数と同一である、請求項１８に記載の通信装置。
【請求項２０】
Ｘ(≧１)ビット以下である前記ＵＣＩのサイズに基づいて、及び基準値以下である前記１つのＰＵＣＣＨリソースセットのうちの前記ＰＵＣＣＨリソースの数に基づいて、前記１つのＰＵＣＣＨリソースが前記第２方式に従い決定され、
前記基準値は、前記ＰＵＣＣＨリソース指示情報により示すことができる値の数と同一である、請求項１８に記載の通信装置。